(57)【要約】      （修正有）【課題】運転が安定的になり、騒音低減やエネルギー節約の効果を奏することができる電気掃除機用の電機と電気掃除機を提供する。【解決手段】アウターロータ型電機であり、回転ハウジング３１と、機台３２と、出力軸３３とを備え、該回転ハウジング内部には、環状の磁石３１１と、突出する回転軸３１２とが設けられており、該機台は、枢孔３２２とコイル３２３とが設けられた固定板３２５を含む電気掃除機用の電機３０であって、該回転軸は、該固定板の枢孔に挿入され、該コイルが該回転ハウジングに嵌設され、該出力軸は、該回転軸の末端に設けられ、該出力軸には、該固定板に当接する凸リング３３１が設けられ、該固定板は、該電機の重心に近接する箇所に位置する。【選択図】図３
0003225425.tif 000002
【実用新案登録請求の範囲】
【請求項１】
アウターロータ型電機であり、回転ハウジングと、機台と、出力軸とを備え、該回転ハウジング内部には、環状の磁石と、突出する回転軸とが設けられており、該機台は、枢孔とコイルとが設けられた固定板を含む電気掃除機用の電機であって、
該回転軸は、該固定板の枢孔に挿入され、該コイルが該回転ハウジングに嵌設され、該出力軸は、該回転軸の末端に設けられ、該出力軸には、該固定板に当接する凸リングが設けられ、該固定板は、該電機の重心に近接する箇所に位置することを特徴とする電気掃除機用の電機。
【請求項２】
該固定板には、固定孔と回路板とがさらに設けられていることを特徴とする請求項１に記載の電気掃除機用の電機。
【請求項３】
請求項１または請求項２に記載の電機を含む送風機と、円筒状の固定ベースと、羽根と、防風カバーとを備え、該固定ベースの内部には、先端部と、後端部と、筒体とが仕切られる仕切りプレートが設けられており、該仕切りプレートには、貫通孔が設けられ、該仕切りプレートの先端部には、環状に離間して配置された複数の通気口が設けられており、各通気口は該仕切りプレートを貫通し該筒体に沿って延在し、該防風カバーは、該固定ベースに取り付けられ、該羽根は該固定ベースに蓋着され、該防風カバーの吸引口と該羽根の作用によって吸引力が生じる電気掃除機であって、
該仕切りプレートには、ねじ孔がさらに設けられ、該電機の出力軸は、該貫通孔を貫通し、ボルト、ナット、該ねじ孔を介して該固定ベースの後端部に固定されることで、該出力軸は、該仕切りプレートの先端部より突出しており、該羽根は、結合部材により該出力軸と結合され該電機に固着されることで、該羽根と該電機の重心は、該仕切りプレートに位置することを特徴とする電気掃除機。
【請求項４】
該仕切りプレートの先端部には環状に離間して配置された複数の通気羽根が設けられ、各通気羽根は該仕切りプレートより該筒体に向けて延在し、各通気羽根の一端はいずれか一つの通気口と連結することを特徴とする請求項３に記載の電気掃除機用の電機。
【請求項５】
該出力軸の凸リングと該貫通孔との間には隙間が設けられていることを特徴とする請求項４に記載の電気掃除機用の電機。
【考案の詳細な説明】
【技術分野】
【０００１】
本考案は、電気掃除機に関し、特に電気掃除機用の電機と該電機の設置位置に関するものである。
【背景技術】
【０００２】
従来、よく見かける電気掃除機の電機は、例えば日本特許第６０１１９１４号に記載された「遠心ファン」であり、静止部と回転部とが設けられたアウターロータ型の電機を用いるという技術が開示されている。また、モータホルダーの板状部に軸方向に沿って延在する柱状部が設けられ、該柱状部に取付板が設けられ、該取付板に該電機静止部の底部が取り付けられることで、該静止部に対して該回転部が回転可能となるという技術が開示されている。このような電機取り付け方法には、構造が複雑で装着が面倒になるという問題がある。従って、従来の電機と電気掃除機の固定ベース構造の設置には改善する余地がある。
【先行技術文献】
【特許文献】
【０００３】
【特許文献１】日本特許第６０１１９１４号
【考案の概要】
【考案が解決しようとする課題】
【０００４】
そこで、本考案は、電機の重心位置を固定ベースに取り付けることで、電機の取り付けを容易にし、電機の作動時に安定して静かに運転する効果を奏することを目的とする。
【課題を解決するための手段】
【０００５】
上記の目的を達成するために、本考案に係る電気掃除機用の電機は、アウターロータ型電機であり、回転ハウジングと、機台と、出力軸とを備える。該回転ハウジング内部には、磁石と、回転軸とが設けられている。該機台は、枢孔とコイルとが設けられた固定板を含む。該回転軸は、該固定板の枢孔に挿入され、該コイルが該回転ハウジングに嵌設される。該出力軸は、該回転軸の末端に設けられ、該出力軸の一側には、該固定板に当接する凸リングが設けられることで、該固定板は、該電機の重心に近接する箇所に位置する。
【０００６】
上記の目的を達成するために、本考案に係る電気掃除機は、アウターロータ型電機を含む送風機と、円筒状の固定ベースと、羽根と、防風カバーとを備える。該固定ベースの内部には、先端部と、後端部と、筒体とが仕切られる仕切りプレートが設けられている。該仕切りプレートには、貫通孔が設けられ、該仕切りプレートの先端部には、環状に離間して配置された複数の通気口が設けられている。該防風カバーは、該固定ベースに取り付けられ、該防風カバーの吸引口と該羽根の作用によって吸引力が生じる。該仕切りプレートには、ねじ孔がさらに設けられ、該電機の出力軸は、該貫通孔を貫通し、ボルト、ナット、ねじ孔を介して固定ベースの後端部に固定されることで、該出力軸は、該仕切りプレートの先端部より突出している。該羽根は、出力軸が該電機に固着されることで、該羽根と該電機の重心は、該仕切りプレートに位置する。
【考案の効果】
【０００７】
本考案に係る電気掃除機用の電機と電気掃除機によれば、以下の効果を奏することができる。
１、 本考案に係る電気掃除機の固定板は、重心位置に近接するように設置することで、電気掃除機用の電機の運転は安定的かつスムーズになる。
２、 本考案に係る電機は、固定ベースに取り付けられることで、羽根と電機の重心はちょうど仕切りプレートに位置するため、運転がスムーズになり、騒音低減とエネルギー節約の効果を奏することができる。
【図面の簡単な説明】
【０００８】
【図１】本考案に係る電気掃除機の局所断面図である。
【図２】本考案に係る送風機の分解模式図である。
【図３】本考案に係る電機の分解模式図である。
【図４】本考案に係る電機の組み合わせ断面図である。
【考案を実施するための形態】
【０００９】
図１、２に示すように、本考案に係る電気掃除機１０は、灰塵、屑を吸引して清潔するための送風機１１を含む。送風機１１は、電気掃除機１０に固定され、円筒状固定ベース２０と、アウターロータ型電機３０と、羽根４０と、防風カバー５０とを備える。
【００１０】
固定ベース２０の内部には仕切りプレート２１が設けられ、仕切りプレート２１により固定ベース２０に先端部２２と、後端部２３と、筒体２４とが形成されている。仕切りプレート２１の上には、貫通孔２１１と、複数のねじ孔２１２とが設けられている。先端部２２には、環状に離間して配置された複数の通気羽根２５と、複数の通気口２６とが設けられ、各通気羽根２５は、仕切りプレート２１から筒体２４に向けて延在し、各通気口２６は、仕切りプレート２１を貫通して筒体２４に隣接する内縁に沿って延在する。この実施例において、通気羽根２５の一端は通気口２６と連結する。
【００１１】
図３に示すように、電機３０は、回転ハウジング３１と、機台３２と、出力軸３３とを備える。回転ハウジング３１の内部には、環状の磁石３１１と、外方へ突出する回転軸３１２とを備える。機台３２は、枢孔３２２とコイル３２３とが設けられた固定板３２１を備える。回転軸３１２は、固定板３２１の枢孔３２２を貫通し、コイル３２３は、回転ハウジング３１内に取り付けらている。固定板３２１には固定孔３２４と、回路板３２５とがさらに設けられ、固定板３２１は、電機３０の重心に近接する箇所に位置する。出力軸３３は、回転軸３１２の末端に設けられ、出力軸３３には、固定板３２１に当接する凸リング３３１が設けられている。電機３０の通電時に、回転ハウジング３１は、出力軸３３と同期回転する。
【００１２】
図２〜４に示すように、電機３０の出力軸３３は、貫通孔２１１を貫通し、ボルト３２６、ナット３２７、ねじ孔２１２により固定ベース２０の後端部２３に固定される。出力軸３３は、仕切りプレート２１より突出し、羽根４０は、結合部材（ナット）４１による出力軸３３との結合により電機３０に固着される。
【００１３】
防風カバー５０が固定ベース２０に取り付けられることで、羽根４０は、固定ベース２０に蓋着される。吸引口５１と羽根４０の作用によって吸引力が生じる。
【００１４】
図４に示すように、羽根４０と電機３０がそれぞれ固定ベース２０の先端部２２と後端部２３に取り付けられることで、羽根４０と電機３０の重心はちょうど仕切りプレート２１に位置する。このため、電機３０は運転時に静かかつ安定し、揺動によって騒音やエネルギー消費が生じる問題はない。また、羽根４０の回転によって生じた気流は、主に通気口２６に向ける以外、一部が凸リング３３１と貫通孔２１１との間隙に流れて電機３０へ吹き出すことで冷却させる。
【００１５】
上記のように、これらの実施の形態は本考案の好ましい実施例の説明のみであり、本考案の特許請求の範囲に基づいてなされる等価の変更や修飾を行うことができる。従って、この技術分野において通常知識を有する者が行った明らかな変更や修飾は、依然として本考案において主張された請求の範囲に入るものである。
【００１６】
以上のように、本考案では、アウターロータ型電機であり、回転ハウジングと、機台と、出力軸とを備え、該回転ハウジング内部には、環状の磁石と、突出する回転軸とが設けられており、該機台は、枢孔とコイルとが設けられた固定板を含む電気掃除機用の電機であって、該回転軸は、該固定板の枢孔に挿入され、該コイルが該回転ハウジングに嵌設され、該出力軸は、該回転軸の末端に設けられ、該出力軸には、該固定板に当接する凸リングが設けられ、該固定板は、該電機の重心に近接する箇所に位置することを特徴とする電気掃除機用の電機とするものである。
【００１７】
また、該固定板には、固定孔と回路板とがさらに設けられているものとする。
【００１８】
また、請求項１または請求項２に記載の電機を含む送風機と、円筒状の固定ベースと、羽根と、防風カバーとを備え、該固定ベースの内部には、先端部と、後端部と、筒体とが仕切られる仕切りプレートが設けられており、該仕切りプレートには、貫通孔が設けられ、該仕切りプレートの先端部には、環状に離間して配置された複数の通気口が設けられており、各通気口は該仕切りプレートを貫通し該筒体に沿って延在し、該防風カバーは、該固定ベースに取り付けられ、該羽根は該固定ベースに蓋着され、該防風カバーの吸引口と該羽根の作用によって吸引力が生じる電気掃除機であって、該仕切りプレートには、ねじ孔がさらに設けられ、該電機の出力軸は、該貫通孔を貫通し、ボルト、ナット、該ねじ孔を介して該固定ベースの後端部に固定されることで、該出力軸は、該仕切りプレートの先端部より突出しており、該羽根は、結合部材により該出力軸と結合され該電機に固着されることで、該羽根と該電機の重心は、該仕切りプレートに位置することを特徴とする電気掃除機ものとする。
【００１９】
また、該仕切りプレートの先端部には環状に離間して配置された複数の通気羽根が設けられ、各通気羽根は該仕切りプレートより該筒体に向けて延在し、各通気羽根の一端はいずれか一つの通気口と連結するものとする。
【００２０】
また、該出力軸の凸リングと該貫通孔との間には隙間が設けられているものとする。
【産業上の利用可能性】
【００２１】
本考案に係る電気掃除機用の電機と電気掃除機によれば、以下の効果を奏することができる。
１、 本考案に係る電気掃除機の固定板は、重心位置に近接するように設置することで、電気掃除機用の電機の運転は安定的かつスムーズになる。
２、 本考案に係る電機は、固定ベースに取り付けられることで、羽根と電機の重心はちょうど仕切りプレートに位置するため、運転がスムーズになり、騒音低減とエネルギー節約の効果を奏することができる。
【符号の説明】
【００２２】
１０  電気掃除機
１１  送風機
２０  固定ベース
２１  仕切りプレート
２１１  貫通孔
２１２  ねじ孔
２２  先端部
２３  後端部
２４  筒体
２５  通気羽根
２６  通気口
３０  電機
３１  回転ハウジング
３１１  磁石
３１２  回転軸
３２  機台
３２１  固定板
３２２  枢孔
３２３  コイル
３２４  固定孔
３２５  回路板
３２６  ボルト
３２７  ナット
３３  出力軸
３３１  凸リング
４０  羽根
４１  結合部材
５０  防風カバー
５１  吸引口
【図１】
0003225425.tif 000003
【図２】
0003225425.tif 000004
【図３】
0003225425.tif 000005
【図４】
0003225425.tif 000006